(57)【要約】  【課題】  不燃化対策によりＰＬ対応の信頼性を向上させた手掛装置を有する空気調和機の室外機を提供する。  【解決手段】  ケーシング２内が熱交換器室と機械室とに区画されるとともに、少なくとも背面側に吸込口を備える一方、前面側に吹出口を備え、前記ケーシング２に合成樹脂製の手掛具３０が外面側から装着された手掛装置３を備えてなる空気調和機の室外機であって、前記手掛装置３が、前記ケーシング２に備えた開口２ｃおよび係止孔２ｄと、同係止孔２ｄに係止する係止爪３ｅを備えるとともに、手指を挿入する手掛穴部および指先を収容する凹部を備え、装着時に、前記手掛穴部および前記凹部が前記開口２ｃを挿通して前記ケーシング２の内側に膨出する前記手掛具３０と、前記開口２ｃの下端部から前記ケーシング２の内側に延出するアンダーカバー５とからなる構成にした。【選択図】  図２
2011080722.tif 000002
【特許請求の範囲】
【請求項１】
ケーシング内が熱交換器室と機械室とに区画されるとともに、少なくとも背面側に吸込口を備える一方、前面側に吹出口を備え、前記ケーシングに合成樹脂製の手掛具が外面側から装着された手掛装置を備えてなる空気調和機の室外機であって、
前記手掛装置が、前記ケーシングに備えた開口および係止孔と、同係止孔に係止する係止爪を備えるとともに、手指を挿入する手掛穴部および指先を収容する凹部を備え、装着時に、前記手掛穴部および前記凹部が前記開口を挿通して前記ケーシングの内側に膨出する前記手掛具と、前記開口の下端部から前記ケーシングの内側に延出するアンダーカバーとからなることを特徴とする空気調和機の室外機。
【請求項２】
前記アンダーカバーは、前記手掛具の下部をカバーするとともに、基端部に対し延出した先端部が高くなるように傾斜してなることを特徴とする請求項１に記載の空気調和機の室外機。
【請求項３】
前記アンダーカバーが、前記手掛具の後端部を超えて前記ケーシングの内側に延出するように構成したことを特徴とする請求項１に記載の空気調和機の室外機。
【請求項４】
前記手掛装置が、少なくとも前記機械室側に設けられてなることを特徴とする請求項１に記載の空気調和機の室外機。
【発明の詳細な説明】
【技術分野】
【０００１】
本発明は、空気調和機の室外機に係わり、より詳細には、手掛装置の構造に関する。
【背景技術】
【０００２】
従来の手掛装置を備えた空気調和機の室外機として、図３（Ａ）および図３（Ｂ）に示すように、ケーシング２２内で互いに近接して配置される複数の冷媒用の金属製の管（キャピラリチューブ）５１が、相互に接触することにより発生する金属音を抑制するものが知られている。
【０００３】
空気調和機の室外機１００の内部は、仕切板２１によって、外気を吸い込む吸込口２ａを臨ませるように熱交換器４を備えた熱交換器室と、図示しない圧縮機や、複数の冷媒用の金属製の管（キャピラリチューブ）５１を配設した機械室とに区画されている。
【０００４】
機械室の少なくとも背面側を覆っている板金製のケーシング２２には開口２ｃが設けられており、この開口２ｃと、開口２ｃに装着される手指を掛けるための合成樹脂製の手掛具３１と、冷媒用の複数の金属製の管（キャピラリチューブ）５１を保持する合成樹脂製の保持具３２とで、手掛装置３が構成されている。
【０００５】
手掛具３１は、開口２ｃの周縁部に手掛具３１の縁部３１ｂが係合して装着された際、この縁部３１ｂの上部位置に手指に馴染みやすいように架設部３１ｃが連続形成されていることにより、手指を掛けやすくした構成になっている。
【０００６】
また、手掛装置３を構成する手掛具３１は、何らかの外力が作用することで、手掛具３１の縁部３１ｂが開口２ｃから外れることによって機械室内に落下しないように、装着時のガタつき（遊び）をなくして、強固に装着されるように工夫された構成になっている。
【０００７】
すなわち、開口２ｃに装着された手掛具３１の後部に、複数の冷媒用の金属製の管（キャピラリチューブ）５１を保持するための保持具３２を一体成形することで手掛装置３が構成されており、この保持具３２が複数の冷媒用の金属製の管（キャピラリチューブ）５１を保持することによって、手掛具３１の縁部３１ｂが開口２ｃから外れなくなるように工夫されている。
【０００８】
また、手掛穴部３１ａは上方に膨出させることで、手指を掛けた時に指先を収容できるように構成されるとともに、手掛具３１の縁部３１ｂが開口２ｃの周縁部の外面側から係合しているのに対し、上方に膨出させた手掛穴部３１ａの端面３１ｄをケーシング２２の内面側に当接させることで、手掛具３１を確実に装着できるようにしている。
【０００９】
これらにより、図示しない圧縮機などの振動を受けた場合であっても、複数の冷媒用の金属製の管（キャピラリチューブ）５１が揺れることで互いに接触してしまうのを防ぐことができるとともに、ガタつき（遊び）のない強固な手掛装置３となり、冷媒用の複数の金属製の管（キャピラリチューブ）５１に緩衝材を貼り付ける処置を施すことで、相互の接触により発生する金属音を抑制するといった処置を施す必要がない構成になっていた（例えば、特許文献１）。
【００１０】
しかしながら、合成樹脂からなる手掛具３１を備えた手掛装置３は、指先が収容される手掛穴部３１ａを上方に膨出させるとともに、架設部３１ｃが設けられることで手指を馴染みやすくした構成になっており、また、ガタつき（遊び）のない強固な構成になっている反面、ＰＬ対応の信頼性を向上させるための不燃化対策が不充分であった。
【先行技術文献】
【特許文献】
【００１１】
【特許文献１】特開２００９−１６２４６５号公報
【発明の概要】
【発明が解決しようとする課題】
【００１２】
そこで、本発明は上述した課題を解決するためになされたものであって、その目的は、不燃化対策によりＰＬ対応の信頼性を向上させた手掛装置を有する空気調和機の室外機を提供することにある。
【課題を解決するための手段】
【００１３】
上述した目的を達成できるように構成するため、本発明は以下に示す特徴を備えている。
【００１４】
ケーシング内が熱交換器室と機械室とに区画されるとともに、少なくとも背面側に吸込口を備える一方、前面側に吹出口を備え、前記ケーシングに合成樹脂製の手掛具が外面側から装着された手掛装置を備えてなる空気調和機の室外機であって、
前記手掛装置が、前記ケーシングに備えた開口および係止孔と、同係止孔に係止する係止爪を備えるとともに、手指を挿入する手掛穴部および指先を収容する凹部を備え、装着時に、前記手掛穴部および前記凹部が前記開口を挿通して前記ケーシングの内側に膨出する前記手掛具と、前記開口の下端部から前記ケーシングの内側に延出するアンダーカバーとからなることを特徴としている。
【００１５】
また、前記アンダーカバーは、前記手掛具の下部をカバーするとともに、基端部に対し延出した先端部が高くなるように傾斜してなることを特徴としている。
【００１６】
また、前記アンダーカバーが、前記手掛具の後端部を超えて前記ケーシングの内側に延出するように構成したことを特徴としている。
【００１７】
また、前記手掛装置が、少なくとも前記機械室側に設けられてなることを特徴としている。
【発明の効果】
【００１８】
本発明によれば、不燃化対策によりＰＬ対応の信頼性を向上させた手掛装置を有する空気調和機の室外機を提供できる。
【図面の簡単な説明】
【００１９】
【図１】本発明による空気調和機の室外機の説明図で、（Ａ）は正面側から見た外観斜視図であり、（Ｂ）は背面側から見た外観斜視図である。
【図２】本発明による空気調和機の室外機の要部説明図で、（Ａ）は手掛具を装着した状態を示す断面図であり、（Ｂ）は手掛具を装着する状態を示す断面図である。
【図３】従来例による空気調和機の室外機の説明図で、（Ａ）は背面側から見た外観斜視図であり、（Ｂ）は要部断面図である。
【発明を実施するための形態】
【００２０】
以下、本発明を実施するための形態を、添付図面に基づいた実施例として詳細に説明する。
【００２１】
本発明による空気調和機の室外機は、図１（Ａ）および図１（Ｂ）に示すように、空気調和機の室外機１の外郭が板金製のケーシング２でカバーされるとともに、背面側に外気を吸い込む吸込口２ａを備え、前面側に吹出口２ｂを備えた構成になっている。
【００２２】
また、空気調和機の室外機１の内部は、図３（Ａ）に基づいて上述したのと同様の構成になっており、図示しない仕切板によって、外気を吸い込む吸込口２ａを臨ませるように図示しない熱交換器を備えた熱交換器室と、図示しない圧縮機や電装品等を備えた機械室とに区画されている。
【００２３】
ケーシング２は、前面側に備えた吹出口２ｂに隣接するように、ケーシング２の一部を構成する着脱可能な板金製の前面カバー２０を備えており、この前面カバー２０を取り外すことによって、機械室の前部および前部寄りとなる側部の一部を夫々解放できるようにした構成となっており、機械室の内部に備えている図示しない圧縮機や電装品等のメンテナンスを行えるようになっている。
【００２４】
そのため、ケーシング２の一部を構成する前面カバー２０は、機械室の前部および前部寄りとなる側部の一部をカバーできるようにＬ字状に折曲形成された構成になっている。
【００２５】
そして、機械室側の前後部となる前面カバー２０を備えたケーシング２には、空気調和機の室外機１を設置するために移動させる際、作業者が手指を掛けるのに好適となる位置に手掛装置３が設けられている。
【００２６】
なお、手掛装置３は、機械室側の前後部となるケーシング２およびその一部を構成する前面カバー２０に設けられた構成として以下に説明するが、作業者が手指を掛けるのに好適となる位置であれば、ケーシング２のどの位置に設けられるように構成してもよい。
【００２７】
手掛装置３は、空気調和機の室外機１が１００キログラム重程度、あるいはそれ以上に重い大型のものであっても、図２（Ａ）および図２（Ｂ）に示すように、設置時に移動させるために手指を掛ける合成樹脂製の手掛具３０を備えることで、例えば、板金の折り返しにより手掛け構造を形成するような場合に較べて、手指が接触する面積を大きく確保できるようになり、掛けた手指に馴染みやすい構成にすることによって力が掛かりやすくなる。
【００２８】
ケーシング２および前面カバー２０には、図示しない圧縮機カバーで覆われた圧縮機や電装品類が配設されている機械室を臨ませる貫通孔として略矩形状の開口２ｃが設けられており、この開口２ｃの上部周縁は、内側に折り曲げた折曲部を有して断面Ｌ字状に折曲形成される一方、この開口２ｃの下部には係止孔２ｄが設けられている。
【００２９】
そして、開口２ｃの下端部には、この開口２ｃを切り起こしによって形成する際、切り起こされた切起し片からなるアンダーカバー５が、開口２ｃの下端部からケーシング２の内側となる機械室内に向けて延出するように形成されている。
【００３０】
アンダーカバー５は、開口２ｃの下端部から、ケーシング２の内側となる機械室内に向けて延出されるに従って、基端部に対し先端部が高くなるように傾斜させて平板状に形成された構成であってもよいし、また、図２（Ａ）および図２（Ｂ）に示すように、先端側に行くに従って順次高くなるように湾曲させて曲面状に形成された構成であってもよい。
【００３１】
これにより、手掛装置３は、不燃化対策によってＰＬ対応の信頼性を向上できるようにした構成となり、仮に、合成樹脂製の手掛具３０が高温で溶け始めたとしても、アンダーカバー５上に落下すると同時に、傾斜させたアンダーカバー５の上面を滑り落ちながら、開口２ｃから機外に排出されることになる。
【００３２】
そのため、アンダーカバー５は、ケーシング２内に膨出した手掛具３０の後端部に対し、ケーシング２の内側となる機械室の奥側寄りの位置まで延ばした構成にすることで、仮に、手掛具３０が高温で溶け始めながら落下したとしても確実に受けることができるようになっている。
【００３３】
また、アンダーカバー５は、高温で溶け始めながら落下した手掛具３０を確実に受けることができるようにし、かつ、機械室内に落下しないで滑り落ちながら開口２ｃから機外に排出できるようにするため、図示はしないが、両側部に壁面を設けることで断面凹状に形成して、開口２ｃの下端部から、ケーシング２の内側となる機械室内に向けて延出する構成にしてもよく、または、両側部が高くなるように形成して、開口２ｃの下端部から、ケーシング２の内側となる機械室内に向けて延出する構成にしてもよい。
【００３４】
手掛具３０は合成樹脂製でなり、掛けた手指の指先を収容する凹部３ｂを上方に備えた手指を挿入する手掛穴部３ａと、開口２ｃの上部周縁に係合する断面Ｕ字状の係合部３ｃと、開口２ｃの下部に当接する当接部３ｄと、開口２ｃの下部に設けられた係止孔２ｄに係止する係止爪３ｅと、手掛穴部３ａに挿入した手指を掛ける架設部３ｆとを備えた構成になっている。
【００３５】
合成樹脂製でなる手掛具３０は、図２（Ａ）および図２（Ｂ）に示すように、ケーシング２と、ケーシング２の一部を構成する前面カバー２０とに設けた開口２ｃに外面側から装着される際、図２（Ｂ）に示す開口２ｃの上部周縁に断面Ｕ字状の係合部３ｃを上方に押し当てながら係合し、次に、図２（Ｂ）に示す矢印ａのように係止孔２ｄに向けて係止爪３ｅの近傍を弾性変形させながら押し込むことで、図２（Ａ）に示す係止孔２ｄに係止爪３ｅを係止して装着される。
【００３６】
その際、係止孔２ｄ近傍のケーシング２および前面カバー２０の表面に、手掛具３０の係止爪３ｅ近傍に設けられた当接部３ｄが当接することで、手掛具３０が、当接部３ｄと係止爪３ｅとによって開口２ｃにガタつき（遊び）を生じさせることなく装着されることになる。
【００３７】
なお、係止孔２ｄは、開口２ｃの下部に複数設けられるとともに、この複数の係止孔２ｄに対応して係止爪３ｅが複数設けられることで、これら係止孔２ｄおよび係止爪３ｅが単数である場合に較べて、手掛具３０がより確実に装着されることになる。
【００３８】
また、架設部３ｆは、開口２ｃの上部周縁の長手方向全域を覆うように形成されることで、手指を掛けやすくなるとともに、手掛具３０として必要な強度を有した構成になっている。
【００３９】
このように構成されたことで、手掛具３０は、開口２ｃを挿通してケーシング２の内側となる機械室内に手掛穴部３ａを膨出し、この手掛穴部３ａに連続形成され手指の指先を収容する凹部３ｂを備えるとともに、手指が掛かる曲面状の架設部３ｆを備えることで手指全体が掛かるように面積を大きく確保できることになるため、掛けた手指が手掛具３０に馴染みやすくなって、手指の力が手掛具３０に掛かりやすくなる。
【００４０】
このように構成された手掛具３０と、ケーシング２およびその一部を構成する前面カバー２０に設けられた開口２ｃおよび係止孔２ｄと、アンダーカバー５とで手掛装置３が構成されることになって、例えば、高温になり溶け始めた手掛具３０がアンダーカバー５上に落下した際、傾斜させたアンダーカバー５上を滑り落ちながら開口２ｃから機外に排出されることになるため、不燃化対策として好適な構成となり、ＰＬ対応の信頼性を向上できるようにした手掛装置３となる。
【００４１】
なお、アンダーカバー５は、開口２ｃを切り起こしによって形成する際の切起し片からなる構成に限ることなく、ケーシング２およびその一部を構成する前面カバー２０に接合する接合部をもたせて板金を断面略Ｌ字状に折曲形成し、この接合部が開口２ｃの下端部に溶接されるように構成してもよい。
【００４２】
その際、開口２ｃの下端部と、断面略Ｌ字状に折曲形成されたアンダーカバー５の接合部の上端位置とが面一状に溶接されることで、高温になり溶け始めながら落下しアンダーカバー５上を滑り落ちた手掛具３０は、アンダーカバー５が面一状に溶接されている開口２ｃから機外に排出されることになる。
【００４３】
なお、この場合のアンダーカバー５は、図示はしないが、上述した切起し片からなるアンダーカバー５と同様に、ケーシング２の内側である機械室内の奥側となる先端部が高くなるように傾斜させて、開口２ｃの下端部から、ケーシング２の内側となる機械室内の奥側に向けて延出するように構成してもよい。
【００４４】
また、アンダーカバー５が、手掛具３０の下部全域をカバーできる大きさに形成されるとともに、開口２ｃの下端部に対し段差が生じないように溶接されることで、高温になり溶けながら落下した合成樹脂製の手掛具３０は、機械室内に落下しないように確実に受け止められて、傾斜した上面を滑り落ちながら係止孔から機外に円滑に排出されることになる。
【００４５】
なお、ケーシング２およびその一部を構成する前面カバー２０に接合する接合部をもたせた別部材からなるアンダーカバー５は、図示はしないが、板金を断面略Ｌ字状に折曲形成する構成に限らず、ケーシング２の内側となる機械室内に膨出している手掛具３０の背面側全体を覆うことにより、開口２ｃを塞ぐように断面略凹状に形成するとともに、その周縁部がケーシング２および前面カバー２０に溶接される構成にしてもよい。
【００４６】
以上説明したように、本発明の構成によれば、手掛装置３が、ケーシング２およびその一部を構成する前面カバー２０に設けられた開口２ｃ、係止孔２ｄおよびアンダーカバー５と、開口２ｃおよび係止孔２ｄなどに対応して装着される合成樹脂製の手掛具３０とからなり、高温になり溶け始めた手掛具３０はアンダーカバー５で確実に受けられ開口２ｃから機外に排出できるようになるので、不燃化対策によりＰＬ対応の信頼性を向上させた空気調和機の室外機１となる。
【符号の説明】
【００４７】
１  空気調和機の室外機
２  ケーシング
２０  前面カバー
２ａ  吸込口
２ｂ  吹出口
２ｃ  開口
２ｄ  係止孔
３  手掛装置
３０  手掛具
３ａ  手掛穴部
３ｂ  凹部
３ｃ  係合部
３ｄ  当接部
３ｅ  係止爪
３ｆ  架設部
５  アンダーカバー
【図１】
2011080722.tif 000003
【図２】
2011080722.tif 000004
【図３】
2011080722.tif 000005